(57)【要約】【課題】建物の下階から上階床下への断熱材の取り付けを可能とする断熱材用取付具及び断熱材取付方法の提供。【解決手段】上下２枚の平板部と、上側の平板部の縁部に一端を設けるとともに、下側の平板部の縁部に他端を設けた棒状支持部とからなることを特徴とする断熱材用取付具。この断熱材用取付具を用い、板状の断熱材を根太等の建築基材に取り付ける断熱材取付方法であって、断熱材用取付具の棒状支持部を垂直とし、その上側の平板部を断熱材の上面に係止し、次いで、下側の平板部を建築基材の下面に受け、次いで、断熱材用取付具をほぼ９０度回転させ、上側の平板部を建築基材の上面に、下側の平板部を断熱材の下面に位置させて断熱材を取り付けることを特徴とする断熱材取付方法。【選択図】図１
2008240263.tif 000002
【特許請求の範囲】
【請求項１】
上下２枚の平板部と、上側の平板部の縁部に一端を設けるとともに、下側の平板部の縁部に他端を設けた棒状支持部とからなることを特徴とする断熱材用取付具。
【請求項２】
２枚の平板部は、棒状支持部の長手方向に対し、平板部の平面が直交するとともに、平板部のそれぞれの先端側が反対側を向くように棒状支持部の端部に固定されたことを特徴とする請求項１に記載の断熱材用取付具。
【請求項３】
棒状支持部の一端側に、平板部を回動可能に取り付ける回動端部が設けられたことを特徴とする請求項１に記載の断熱材用取付具。
【請求項４】
前記回動端部が、平板部をほぼ９０度の角度範囲で回動させる角度規制手段を有することを特徴とする請求項３に記載の断熱材用取付具。
【請求項５】
請求項１又は２に記載の断熱材用取付具を用い、板状の断熱材を根太等の建築基材に取り付ける断熱材取付方法であって、
断熱材用取付具の棒状支持部を垂直とし、その上側の平板部を断熱材の上面に載置し、次いで、下側の平板部を建築基材の下面に受け、次いで、断熱材用取付具をほぼ９０度回転させ、上側の平板部を建築基材の上面に、下側の平板部を断熱材の下面に位置させて断熱材を取り付けることを特徴とする断熱材取付方法。
【請求項６】
請求項３又は４に記載の断熱材用取付具を用い、板状の断熱材を根太等の建築基材に取り付ける断熱材取付方法であって、
断熱材用取付具の回動端部を下に向け、上側の平板部を建築基材の上面に載置し、次いで、断熱材を建築基材間に挟み込み、次いで、下側の平板部をほぼ９０度回転させて、下側の平板部を断熱材の下面に位置させて断熱材を取り付けることを特徴とする断熱材取付方法。
【発明の詳細な説明】
【技術分野】
【０００１】
本発明は、断熱材用取付具及び断熱材取付方法に関し、特に、建物の下階から上階床下への断熱材取付を可能とする断熱材用取付具及び断熱材取付方法に関する。
【背景技術】
【０００２】
従来、断熱材を床下に取り付けるための断熱材用取付具及び断熱材取付方法に関して、例えば、特許文献１及び２に開示された技術が提案されている。
特許文献１には、垂下片の上部に、根太等の建築基材への係止片が略水平状に連設され、他方下部には、断熱材に対する支承片が上記係止片と反対方向に延設されてなり、さらに上記垂下片は、その一部又は全部が、支承片の延設方向側へ膨出した弾力的な湾曲部として形成されてなる断熱材用取付具が開示されている。
特許文献２には、弾性的に下方に屈曲可能な支持片１を有する受け具２を根太に取り付けて、この支持片を下方に屈曲させながら根太間に断熱材を嵌め込んで、その上に床材を施工する断熱材の施工方法が開示されている。
【特許文献１】実公昭６１−３９７６３号公報
【特許文献２】特開平６−５７９３２号公報
【発明の開示】
【発明が解決しようとする課題】
【０００３】
近年、住宅等の建築分野において、施工作業の更なる効率化を進める上で、種々の作業工程の検討が行われている。その一つとして、建物の下階から上階床下への断熱材取付が考えられる。建物の下階から上階床下へを取り付けることができれば、上下階の断熱材取付工程を簡略化することができる。
【０００４】
しかしながら、特許文献１に開示された断熱材用取付具は、根太に上部から取り付けて使用するものであり、水平方向に支承片１２があるので、建物の下階から上階床下への断熱材取付は不可能である。
また、特許文献２に開示された受け具も、根太に上部から取り付けて使用するものであり、水平方向に支持片１があるので、建物の下階から上階床下への断熱材取付は不可能である。
【０００５】
本発明は、前述した事情に鑑みてなされ、建物の下階から上階床下への断熱材の取り付けを可能とする断熱材用取付具及び断熱材取付方法の提供を目的とする。
【課題を解決するための手段】
【０００６】
前記目的を達成するため、本発明は、上下２枚の平板部と、上側の平板部の縁部に一端を設けるとともに、下側の平板部の縁部に他端を設けた棒状支持部とからなることを特徴とする断熱材用取付具を提供する。
【０００７】
本発明の断熱材用取付具において、２枚の平板部は、棒状支持部の長手方向に対し、平板部の平面が直交するとともに、平板部のそれぞれの先端側が反対側を向くように棒状支持部の端部に固定されたことが好ましい。
【０００８】
本発明の断熱材用取付具において、棒状支持部の一端側に、平板部を回動可能に取り付ける回動端部が設けられた構成としてもよい。
【０００９】
前記断熱材用取付具において、前記回動端部が、平板部をほぼ９０度の角度範囲で回動させる角度規制手段を有することが好ましい。
【００１０】
また本発明は、前述した本発明に係る断熱材用取付具を用い、板状の断熱材を根太等の建築基材に取り付ける断熱材取付方法であって、
断熱材用取付具の棒状支持部を垂直とし、その上側の平板部を断熱材の上面に載置し、次いで、下側の平板部を建築基材の下面に受け、次いで、断熱材用取付具をほぼ９０度回転させ、上側の平板部を建築基材の上面に、下側の平板部を断熱材の下面に位置させて断熱材を取り付けることを特徴とする断熱材取付方法を提供する。
【００１１】
また本発明は、前述した本発明に係る断熱材用取付具を用い、板状の断熱材を根太等の建築基材に取り付ける断熱材取付方法であって、
断熱材用取付具の回動端部を下に向け、上側の平板部を建築基材の上面に載置し、次いで、断熱材を建築基材間に挟み込み、次いで、下側の平板部をほぼ９０度回転させて、下側の平板部を断熱材の下面に位置させて断熱材を取り付けることを特徴とする断熱材取付方法を提供する。
【発明の効果】
【００１２】
本発明の断熱材用取付具は、上下２枚の平板部と、上側の平板部の縁部に一端を設けるとともに、下側の平板部の縁部に他端を設けた棒状支持部とからなるものなので、棒状支持部を断熱材の端面に当接させた状態で平板部を回動させることができ、上側の平板部を根太等の建築基材に当たらないような向きとして、下方から断熱材を取付位置にセットした後、上側の平板部が建築基材の上面に載置されるとともに、下側の平板部上に断熱材が載置されるように断熱材用取付具を回動させることで、建物の下階から上階床下への断熱材の取り付けが可能となる。
【００１３】
また、棒状支持部の一端側に、平板部を回動可能に取り付ける回動端部を設けた構成とすることによって、上側の平板部を建築基材の上面に載置し、次いで、断熱材を建築基材間に挟み込み、次いで、下側の平板部をほぼ９０度回転させて、下側の平板部を断熱材の下面に位置させて断熱材を取り付けることで、より効率よく建物の下階から上階床下への断熱材の取り付けが可能となる。
【００１４】
本発明の断熱材取付方法は、前述した本発明の断熱材用取付具を用いて、根太等の建築基材に断熱材を取り付けるものなので、建物の下階から上階床下への断熱材の取り付けが可能となり、上下階の断熱材取付工程を簡略化することができ、建設コストの低減を図ることができる。
【発明を実施するための最良の形態】
【００１５】
以下、図面を参照して本発明の実施形態を説明する。
図１及び図２は、本発明の断熱材用取付具の第１実施形態を示す図であり、図１は断熱材用取付具の斜視図、図２は平面図である。
本実施形態の断熱材用取付具１は、上下２枚の平板部２，３と、上側の平板部２の縁部に一端を設けるとともに、下側の平板部３の縁部に他端を設けた棒状支持部４とからなり、２枚の平板部２，３は、棒状支持部４を垂直に向けて上側の平板部２を根太６に載置した状態で、下側の平板部３上に断熱材５の周縁部を載置可能となるように棒状支持部４の両端に取り付けられたことを特徴としている。
【００１６】
本実施形態の断熱材用取付具１は、２枚の平板部２，３が、棒状支持部４の長手方向に対し、各平板部２，３の平面が直交するとともに、平板部２，３のそれぞれの先端側が反対側を向くように棒状支持部４の端部に固定されている。２枚の平板部２，３は、平滑な平板の他、円形の多数の穴を設けた板や適所に切欠を有する板であっても良い。平板部の形状は限定されないが、長方形などの四辺形が好ましい。また棒状支持部４は、丸棒や角棒を使用し得るが、丸棒が好ましい。
【００１７】
本実施形態の断熱材用取付具１は、金属や合成樹脂などで作製することができる。金属としては、炭素鋼、表面塗装炭素鋼、ステンレス鋼、アルミニウム又はアルミニウム合金、銅又は銅合金などが挙げられる。また合成樹脂としては、ポリエチレン系樹脂やポリプロピレン系樹脂などのオレフィン系樹脂、ポリエチレンテレフタレート（ＰＥＴ）系樹脂などのポリエステル系樹脂、ポリアミド樹脂、ポリ塩化ビニル系樹脂、ＡＢＳ樹脂などの熱可塑性樹脂、熱可塑性樹脂とガラス繊維などのフィラーとを組み合わせた複合樹脂材料などが挙げられる。金属製の断熱材用取付具１は、単位面積当たりの強度が高く、剛性があり、小型化することができる利点がある。また合成樹脂製の断熱材用取付具１は、量産性に優れ、安価に提供できると共に、腐食の心配が無い、などの利点がある。
【００１８】
本実施形態の断熱材用取付具１において、平板部２，３には、断熱材５又は根太６等の建築基材と連結するための、楔状の突起等の係止部やネジや釘等を挿し込む孔を設けることもできる。例えば、平板部２，３を金属板で形成した場合、成形時に平板部の適所にＶ字状の切れ込みを設けておき、これを起立させることで楔状の突起を形成できる。また、平板部２，３に設けた孔にネジや釘を挿通することによって該平板部２，３を断熱材５又は根太６等の建築基材に固定することもできる。以上のような構成とすることで、断熱材５又は根太６等の建築基材と断熱材用取付具１とがより密接に固定される。
【００１９】
図３〜図７は、本実施形態の断熱材用取付具１を用いた断熱材取付方法の一例を示す図であり、図３は、断熱材取付時の平面図、図４は、断熱材取付時の底面図である。図５は、根太部分の取付状態を示し、（ａ）は要部断面図、（ｂ）は平面図、（ｃ）は底面図である。図６は、本発明の断熱材取付方法の一例において、断熱材用取付具を回動する前の状態を示し、（ａ）は左側面図、（ｂ）は平面図、（ｃ）は底面図、（ｄ）は正面図である。図７は、本発明の断熱材取付方法の一例において、断熱材用取付具を回動させた後の状態を示し、（ａ）は左側面図、（ｂ）は平面図、（ｃ）は底面図、（ｄ）は正面図である。これらの図中、符号１は断熱材用取付具、２は上側の平板部、３は下側の平板部、４は棒状支持部、５は断熱材、６は根太である。
【００２０】
本実施形態の断熱材用取付具１は、図３〜図５に示すように、上側の平板部２を根太６の上面に載置して懸垂状態とし、下側の平板部３上に断熱材５の周縁部を載置可能とすることができる。この断熱材用取付具１は、２枚の平板部２，３をつなぐ部分を板状ではなく、棒状としたことで、この棒状支持部４を断熱材の端面に当接させた状態で回動させることを可能としている。これにより、建物の下階から上階床下への断熱材５の取り付けが可能となる。
【００２１】
本例の断熱材取付方法では、この断熱材用取付具１を用い、次の（１）〜（４）の工程で板状の断熱材５を根太６に取り付ける。
（１）まず、断熱材用取付具１の棒状支持部４を垂直とし、上側の平板部２を断熱材５の上面に載置する。
（２）次いで、下側の平板部３を根太６下面に受ける（図６（ａ）〜（ｄ）参照。）。
（３）次いで、断熱材用取付具１をほぼ９０度回転させる。
（４）上側の平板部２を建築基材の上面に、下側の平板部３を断熱材の下面に位置させて断熱材を取り付ける（図７（ａ）〜（ｄ）参照。）。
【００２２】
この断熱材取付方法において、各部の寸法は、概略次の通りであるが、これらの寸法は例示に過ぎず、本発明を限定するためのものではない。
根太６は、グレードにより異なるが、一般的に使用するのは幅３６ｍｍ×厚さ４５ｍｍ程度である。
根太間隔は、一般的に、洋室３０３ｍｍ、和室４５０ｍｍ程度である。
断熱材５は、幅は根太間隔に合わせ、長さは荷運び・施工性から一般に９００ｍｍ程度とされる。
断熱材用取付具１は、断熱材９００ｍｍ長さに対し、２箇所程度（間隔は８００ｍｍ程度）用いる。
【００２３】
断熱材用取付具１の寸法は、上側の平板部２が、長さ３６ｍｍ以下×幅２５ｍｍ程度×厚さ０．５ｍｍ程度であり、下側の平板部３が、長さ２０ｍｍ程度×幅２５ｍｍ程度×厚さ０．５ｍｍ程度である。
棒状支持部４は、丸棒形状が好ましい。この棒状支持部４の長さは、使用する断熱材の厚さに応じて、５〜２７５ｍｍの範囲とされ、また直径は、断熱材を保持できる強度を持つ径とされ、５ｍｍφ以上とすることが好ましい。
【００２４】
なお、断熱材５の厚さは、材質及び地域によって異なっており、例えば、温暖地方では５ｍｍ程度、北海道では２７５ｍｍ程度とされる。
また、根太６に対する取付強度についても、断熱材によって異なっており、断熱材用取付具１の幅で調節する。一般には上側の平板部２が、長さ３６ｍｍ×幅２５ｍｍ×厚さ０．５ｍｍ程度であり、北海道等では長さ３６ｍｍ×幅５０ｍｍ×厚さ０．５ｍｍ程度とする。北海道等では、断熱材が厚いため、平板部２の幅を大きくすることで、平板部２の根太６に対する取付強度を大きくしている。
【００２５】
図８及び図９は、本発明の断熱材用取付具の第２実施形態を示す図であり、図８は断熱材用取付具の斜視図、図９（ａ）は平面図、（ｂ）は側面図、（ｃ）は断面図である。これらの図中、符号１１は断熱材用取付具、１２は上側の平板部、１３は下側の平板部、１４は棒状支持部、１５は回動端部である。
【００２６】
本実施形態の断熱材用取付具１１は、前述した第１実施形態の断熱材用取付具１と同じく、２枚の平板部１２，１３と、上側の平板部１２の縁部に一端を取り付けるとともに、下側の平板部１３の縁部に他端を取り付けた棒状支持部１４とからなっており、棒状支持部１４の下端側に、下側の平板部１３を回動可能に取り付ける回動端部１５を設けたことを特徴としている。
【００２７】
本実施形態において、棒状支持部１４の回動端部１５は、下側の平板部１３をほぼ９０度の角度範囲で回動させる角度規制手段を有することが好ましい。この角度規制手段は、例えば、回動端部１５と下側の平板部１３とのいずれかに溝を設け、他方にこの溝に嵌合する突起を設けることなどによって実施可能である。
【００２８】
図１０は、本実施形態における回動端部１５の第１例を示し、（ａ）は平面図、（ｂ）は正面図である。この例による回動端部１５は、棒状支持部１４の下端にフランジを設け、下側の平板部１３にＴ字状の挿入孔１６を設けておき、挿入孔１６に棒状支持部１４の下端部を嵌合する構造になっている。
【００２９】
図１１は、本実施形態における回動端部１５の第２例の製造工程を順に示す図である。この回動端部１５は、熱可塑性樹脂や加工が容易な金属などからなる棒状支持部１４と、この棒状支持部１４が挿入可能な丸穴状の挿入孔１７を設けた下側の平板部１３とを用意し（図１１（ａ）及び（ｂ）参照）、次いで、この挿入孔１７に棒状支持部１４の下端部を挿入し（図１１（ｃ）参照。）、次いで、挿入孔１７から突出した棒状支持部１４の下端部を、加熱により又は加圧により塑性変形させて潰すことによって、図１１（ｄ）に示す回動端部１５を形成する。
【００３０】
次に、本実施形態の断熱材用取付具１１を用いた断熱材取付方法の一例を説明する。
この取付方法では、次の（Ａ）〜（Ｃ）の工程で断熱材の取付を行う。
（Ａ）まず、上側の平板部１２を根太６の上面に載置し、
（Ｂ）次いで、断熱材５を根太６間に挟み込み、
（Ｃ）次いで、下側の平板部１３をほぼ９０度回転させて、下側の平板部１３を断熱材５の下面に位置させる。
【００３１】
本実施形態の断熱材用取付具１１を用いた断熱材取付方法では、下側の平板部１３を回動可能に取り付ける回動端部１５を設けたことによって、より効率よく建物の下階から上階床下への断熱材の取り付けが可能となる。
【図面の簡単な説明】
【００３２】
【図１】本発明の断熱材用取付具の第１実施形態を示す斜視図である。
【図２】本発明の断熱材用取付具の第１実施形態を示す平面図である。
【図３】本発明の断熱材取付方法の一例を示す断熱材取付時の平面図である。
【図４】本発明の断熱材取付方法の一例を示す断熱材取付時の底面図である。
【図５】本発明の断熱材取付方法の一例を示す断熱材取付時の図であり、（ａ）は要部断面図、（ｂ）は平面図、（ｃ）は底面図である。
【図６】本発明の断熱材取付方法の一例において、断熱材用取付具を回動する前の状態を示し、（ａ）は左側面図、（ｂ）は平面図、（ｃ）は底面図、（ｄ）は正面図である。
【図７】本発明の断熱材取付方法の一例において、断熱材用取付具を回動させた後の状態を示し、（ａ）は左側面図、（ｂ）は平面図、（ｃ）は底面図、（ｄ）は正面図である。
【図８】本発明の断熱材用取付具の第２実施形態を示す斜視図である。
【図９】本発明の断熱材用取付具の第１実施形態を示し、（ａ）は平面図、（ｂ）は側面図、（ｃ）は断面図である。
【図１０】本発明の断熱材用取付具の第２実施形態における回動端部の第１例を示し、（ａ）は平面図、（ｂ）は正面図である。
【図１１】本発明の断熱材用取付具の第２実施形態における回動端部の第２例の製造工程を順に示す図である。
【符号の説明】
【００３３】
１，１１…断熱材用取付具、２，３，１２，１３…平板部、４，１４…棒状支持部、５…断熱材、６…根太、１５…回動端部、１６，１７…挿入孔。
【図１】
2008240263.tif 000003
【図２】
2008240263.tif 000004
【図３】
2008240263.tif 000005
【図４】
2008240263.tif 000006
【図５】
2008240263.tif 000007
【図６】
2008240263.tif 000008
【図７】
2008240263.tif 000009
【図８】
2008240263.tif 000010
【図９】
2008240263.tif 000011
【図１０】
2008240263.tif 000012
【図１１】
2008240263.tif 000013